(57)【要約】【課題】変換損失の増大を招くことなく、局部発振器のレベルに対する変換損失の変動を抑制する。【解決手段】局部発振周波数（ＬＯ）信号を分岐する第１の分配手段と、中間周波数信号（ＩＦ）を分岐する第２の分配手段と、第１の分配手段から出力される一方のＬＯと第２の分配手段から出力される一方のＩＦとを混合して第１の無線周波数（ＲＦ）信号を出力する第１のハーモニックミキサと、第１の分配手段から出力される他方のＬＯ信号と第２の分配手段から出力される他方のＩＦ信号とを混合して第２のＲＦ信号を出力する第２のハーモニックミキサと、第１のＲＦ信号と第２のＲＦ信号を合成し、合成したＲＦ信号を出力する合成手段とを備え、第１のハーモニックミキサと第２のハーモニックミキサは変換損失に対する入力電力依存性が異なる。【選択図】      図１
2014086811.tif 000002
【特許請求の範囲】
【請求項１】
局部発振周波数信号を分岐する第１の電力分配手段と、
中間周波数信号を分岐する第２の電力分配手段と、
前記第１の電力分配手段から出力される一方の局部発振周波数信号と、前記第２の電力分配手段から出力される一方の中間周波数信号とを混合して第１の無線周波数信号を出力する第１のハーモニックミキサと、
前記第１の電力分配手段から出力される他方の局部発振周波数信号と、前記第２の電力分配手段から出力される他方の中間周波数信号とを混合して第２の無線周波数信号を出力する第２のハーモニックミキサと、
前記第１の無線周波数信号と第２の無線周波数信号を合成し、合成した無線周波数信号を出力する電力合成手段とを備え、
前記第１のハーモニックミキサと前記第２のハーモニックミキサは、変換損失の入力電力依存性が異なる
ハーモニックミキサ回路。
【請求項２】
前記第１のハーモニックミキサおよび前記第２のハーモニックミキサは、それぞれアンチパラレルダイオードを含み、前記アンチパラレルダイオードの順方向電圧が互いに異なる
請求項１に記載のハーモニックミキサ回路。
【請求項３】
前記アンチパラレルダイオードは、１個または複数の直列接続されたダイオードが逆方向に並列接続され、
前記第１のハーモニックミキサと前記第２のハーモニックミキサは、前記アンチパラレルダイオードにおいて並列接続されるダイオードの数が異なる
請求項２に記載のハーモニックミキサ回路。
【請求項４】
前記第１のハーモニックミキサを構成するアンチパラレルダイオードは、導電型の異なる半導体を接合してなるダイオードからなり、
前記第２のハーモニックミキサを構成するアンチパラレルダイオードは、金属と半導体を接合してなるダイオードからなる、
請求項２に記載のハーモニックミキサ回路。
【請求項５】
前記ダイオードの接合の種類とは、シリコンを含むショットキーダイオード接合またはＰＮ接合である
請求項４に記載のハーモニックミキサ回路。
【請求項６】
前記アンチパラレルダイオードの入力側および出力側に、局部発振周波数に対して１/４波長長のショートスタブとオープンスタブがそれぞれ接続されている
請求項１乃至５のいずれか１項に記載のハーモニックミキサ回路。
【請求項７】
局部発振周波数信号を第１の局部発振周波数信号と第２の局部発振周波数信号に分岐し、
中間周波数信号を第１の中間周波数信号と第２の中間周波数信号に分岐し、
前記第１の局部発振周波数信号と前記第１の中間周波数信号とを、第１の変換損失で混合して第１の無線周波数信号を出力し、
前記第２の局部発振周波数信号と前記第２の中間周波数信号とを、前記第１の変換損失とは異なる第２の変換損失で混合して第２の無線周波数信号を出力し、
前記第１の無線周波数信号と前記第２の無線周波数信号を合成し、合成した無線周波数信号を出力する
ミキシング方法。
【請求項８】
前記第１の変換損失と前記第２の変換損失は、前記第１の局部発振周波数信号の電力および前記第２の局部発振周波数信号の電力に対する、それぞれの依存性が異なる
請求項７に記載のミキシング方法。
【請求項９】
前記混合する機能を有するアンチパラレルダイオードをそれぞれ用い、
前記第１の変換損失で混合するアンチパラレルダイオードの順方向電圧と
前記第２の変換損失で混合するアンチパラレルダイオードの順方向電圧が異なる
請求項７または８に記載のミキシング方法。
【発明の詳細な説明】
【技術分野】
【０００１】
本発明は、ハーモニックミキサ回路およびミキシング方法に関し、特に、無線周波数帯の周波数変換器に用いられるハーモニックミキサ回路およびミキシング方法に関する。
【背景技術】
【０００２】
ハーモニックミキサ回路は、一般に、一対のダイオードを互いに逆向きに並列接続したアンチパラレルダイオードと、フィルタやスタブなどの外部回路から構成される。
【０００３】
このようなハーモニックミキサ回路の一例が、特許文献１に記載されている。特許文献１に記載されたハーモニックミキサ回路の構成を図８に示す。アンチパラレルダイオードは、順方向電圧が同一値の２つのダイオードを逆方向に並列接続させていることを特徴とする。そのため、アンチパラレルダイオードの静特性は、図９に示すように、２つのダイオードの電圧-電流特性が原点に対して点対称な特性を示す。
【０００４】
このハーモニックミキサ回路では、局部発振器１（以後ＬＯという）からの信号を増幅器２を介して、ＬＯ入力ポート１８から入力する。同時に、中間周波数（以後ＩＦという）信号を、ＩＦ入力ポート１４から入力する。そうすると、アンチパラレルダイオード３を介して局部発振周波数（以後ｆＬＯという）の２倍の周波数成分とＩＦとが混合され、混合された無線周波数（以後ＲＦという）信号がＲＦ出力ポート１６から出力される。具体的には、周波数ｆＬＯのＬＯ信号を入力し、周波数ｆＩＦのＩＦ信号を入力すると、出力される周波数ｆＲＦは２ｆＬＯ±ｆＩＦとなる。また、入出力信号の組合せを変えて、入力ＬＯ信号と入力ＲＦ信号から出力ＩＦ信号を取り出すこともできる。このように、局部発振器１を、所望のＲＦに対して低い周波数に設計できる。そのため、無線通信装置を安価にできる回路技術としてマイクロ波、ミリ波帯でハーモニックミキサ回路は広く用いられている。
【０００５】
ハーモニックミキサに関連する技術として、次に挙げるような特許文献１、２、３がある。
【０００６】
特許文献１に記載のハーモニックミキサ回路は、ＬＯ入力ポート６から入力されるＬＯ信号を、同位相かつ振幅は互いに異なる２つのＬＯ信号に分配する不均等分配カプラ３と、同じ構造・特性をもつ２つのハーモニックミキサ１と２とを備える。さらに、ＩＦ入力ポート７から入力されるＩＦ信号を、同位相かつ同振幅の２つのＩＦ信号に分配する均等分配カプラ４と、ハーモニックミキサ１、２で生成された互いに異なる信号レベルのＲＦ信号を、同位相で合成しＲＦ出力ポート８から出力する合成カプラ５とを備える構成としている。
【０００７】
また、特許文献２に記載のハーモニックミキサ回路は、アンチパラレルダイオード４の局部発振信号が印加される側の信号から、偶数次の変換モードによる信号成分を検出する検出回路３２と、検出回路３２が検出する信号成分を減少させる方向の制御信号をアンチパラレルダイオードに印加する制御回路３３とを備えた構成としている。そして、受信信号入力端子２２に入力される受信信号と、局部発振信号入力端子２１に入力される局部発振信号とを混合して出力信号を得て、出力信号を出力端子２３から出力する構成としている。
【０００８】
また、特許文献３に記載のミキサ動作点を最適レベルに自動制御できる周波数変換回路は、入力された局部発振周波数信号を減衰する可変減衰器１と、所定の利得を有するバッファアンプ２と、バッファアンプ２出力を２分岐する分配器３と、２分岐された信号と同一レベルの中間周波数信号とをそれぞれに入力するハーモニックミキサ４、５とを備える。さらに、ハーモニックミキサ４、５の出力をそれぞれ検波する検波回路６、７と、検波回路６、７の出力である検波電圧の差を検出し、検波電圧の差が等しくなるように可変減衰器１の減衰量を制御する制御回路８とを備えた構成としている。
【先行技術文献】
【特許文献】
【０００９】
【特許文献１】特開２００６−１６６２１３号公報
【特許文献２】特開２０１０−１５４０４８号公報
【特許文献３】特開２００２−２９０１５６号公報
【発明の概要】
【発明が解決しようとする課題】
【００１０】
図１０に、ハーモニックミキサ回路におけるＩＦからＲＦへの変換損失と、ＬＯ信号入力レベルとの関係を示す。縦軸は対数表示であり、損失が増大する方向を下向きとした。この変換損失はＬＯ信号の電力レベルに大きく依存する。具体的には、ＬＯ信号の電力レベルが小さいときは変換損失が大きく、ＬＯ信号の電力レベルが大きくなるとともに変換損失は小さくなり、さらにＬＯ信号の電力レベルが増すと変換損失は再び大きくなる。このことから、ＩＦからＲＦへの変換損失が大きく変動しないためには、ミキサへのＬＯ信号の入力レベルをある一定範囲内に抑える必要があることが判る。例えば、屋外の無線通信装置にハーモニックミキサを搭載する場合には、空調のある屋内の設置環境下とは違って温度変化や湿度変化の影響を大きく受ける。そのため、ミキサへの入力レベルを高精度に制御する必要がある、という問題があった。
【００１１】
さらに、上記文献に記載された関連するハーモニックミキサ回路には次のような問題があった。
【００１２】
特許文献２は、ハーモニックミキサに入力されるＬＯ信号などに不要波（雑音）が含まれる場合に、その不要波のＩＦ信号への影響を低減することができる発明が記載されている。そして、ハーモニックミキサを構成するアンチパラレルダイオードの動作点に関して、２つのダイオードの特性の差異を打ち消す位置に動作点を定めるとしている。しかしながら、ＬＯ信号の入力レベルが変動するとそれに伴ってＩＦからＲＦの変換損失、ひいてはＲＦ出力信号のレベルが変動するという上述の課題が解消することはない。
【００１３】
また、特許文献３には、２つのハーモニックミキサを用いて、２つのハーモニックミキサの検波電圧の差が等しくなるように、入力されたＬＯ信号のレベルを等しく制御することによって、ハーモニックミキサの動作点を最適レベルに自動制御する発明が記載されている。しかしながら特許文献３の回路は、入力ＬＯ信号電力値を調整する可変減衰器１や、２つのハーモニックミキサの出力電圧を検波する検波回路６，７を設けた構成であるため、無線周波数信号を扱うハーモニックミキサ回路において不整合が生じやすく、ハーモニックミキサに入力されるＬＯ信号レベルを一定に保つように制御することは困難である。その結果、このような帰還制御を行うことによって、ＲＦ出力信号の出力レベルを一定に保つことは困難である。
【００１４】
そして、ＲＦ出力信号の出力レベルを一定に保つという特許文献２および特許文献３に係る課題に対して、特許文献１には、自動レベル制御手段を採用することなくその出力ＲＦ信号のレベル変動幅を小さく抑えることが可能なハーモニックミキサ回路が記載されている。即ち、特許文献１には、２つのハーモニックミキサを用いて、入力されたＬＯ信号を２つのハーモニックミキサに対して不均等に分配することで、ハーモニックミキサから出力され合成回路で合成される前のＲＦ出力信号の出力レベルを、互いに異ならせるハーモニックミキサ回路が記載されている。この構成によって、出力ＲＦ信号のレベル変動幅を小さく抑えることが可能になるとしている。
【００１５】
しかしながら、特許文献１の構成によれば、ＬＯ信号の入力範囲は広くなるが、ＩＦ信号からＲＦ信号への変換損失自体は増大してしまうという問題があった。このように関連するハーモニックミキサ回路においては、ＬＯの入力レベルに対する変換損失の変動を抑制しようとすると、変換損失が増大してしまうという課題があった。
【００１６】
本発明の目的は、上述した課題である、変換損失の変動を抑制しようとすると変換損失が増大してしまう、という解決するハーモニックミキサ回路を提供することにある。
【課題を解決するための手段】
【００１７】
本発明のハーモニックミキサ回路は、局部発振周波数信号を分岐する第１の電力分配手段と、中間周波数信号を分岐する第２の電力分配手段と、第１の電力分配手段から出力される一方の局部発振周波数信号と第２の電力分配手段から出力される一方の中間周波数信号とを混合して第１の無線周波数信号を出力する第１のハーモニックミキサと、第１の電力分配手段から出力される他方の局部発振周波数信号と第２の電力分配手段から出力される他方の中間周波数信号とを混合して第２の無線周波数信号を出力する第２のハーモニックミキサと、第１の無線周波数信号と第２の無線周波数信号を合成し、合成した無線周波数信号を出力する電力合成手段とを備え、第１のハーモニックミキサと第２のハーモニックミキサは変換損失の入力電力依存性が異なる。
【００１８】
また、本発明のミキシング方法は、局部発振周波数信号を第１の局部発振周波数信号と第２の局部発振周波数信号に分岐し、中間周波数信号を第１の中間周波数信号と第２の中間周波数信号に分岐し、第１の局部発振周波数信号と第１の中間周波数信号とを、第１の変換損失で混合して第１の無線周波数信号を出力し、第２の局部発振周波数信号と第２の中間周波数信号とを、第１の変換損失とは異なる第２の変換損失で混合して第２の無線周波数信号を出力し、第１の無線周波数信号と第２の無線周波数信号を合成し、合成した無線周波数信号を出力する。
【発明の効果】
【００１９】
本発明のハーモニックミキサ回路およびミキシング方法によれば、変換損失の増大を招くことなく、ＬＯのレベルに対する変換損失の変動を抑制することができる。
【図面の簡単な説明】
【００２０】
【図１】本発明の実施形態に係るハーモニックミキサ回路の構成を示すブロック図である。
【図２】本発明の実施形態に係るハーモニックミキサ回路の構成を示す回路図である。
【図３】本発明の実施形態に係るハーモニックミキサ回路の動作を説明するための回路図である。
【図４】本発明の実施形態に係るハーモニックミキサ回路の動作を説明するためのアンチパラレルダイオードの電流−電圧特性を示す模式図である。
【図５】本発明の実施形態に係るハーモニックミキサ回路の動作を説明するための模式図である。
【図６】本発明の実施形態に係るハーモニックミキサ回路の動作を説明するための特性図である。
【図７】本発明の実施形態に係るハーモニックミキサ回路の解析結果から求めた特性図である。
【図８】関連するハーモニックミキサ回路の構成を示す回路図である。
【図９】関連するハーモニックミキサ回路の変換損失特性を示す模式図である。
【図１０】関連するアンチパラレルダイオードの電流−電圧特性を示す模式図である。
【発明を実施するための形態】
【００２１】
次に、本発明を実施するための形態について図面を参照して説明する。なお、以下の説明では、同じ機能を有するものには同じ符号をつけ、その説明を省略する場合がある。
（構成）
図１は、本発明の実施形態に係るハーモニックミキサ回路の構成を示すブロック図である。本実施形態のハーモニックミキサ回路は、ＬＯ入力ポート１８から入力されるＬＯ信号を略等分に分配する分配回路９と、変換損失の入力電力依存性が異なる２つのハーモニックミキサ１００Ａと１００Ｂとを備える。さらに、ＩＦ入力ポート１４から入力されるＩＦ信号を略等分に分配する分配回路７と、ハーモニックミキサ１００Ａ、１００Ｂで生成された互いに異なる信号レベルのＲＦ信号を合成し、ＲＦ出力ポート１６から出力する合成回路８とを備える。
【００２２】
ＬＯ入力ポート１８に入力されたＬＯ信号は、局部発振周波数信号（ＬＯ信号）の分配回路９を介して略等分に分配される。分配されたＬＯ信号は、ハーモニックミキサ１００Ａとハーモニックミキサ１００Ｂにそれぞれ入力される。一方、ＩＦ入力ポート１４に入力されたＩＦ信号は、中間周波数信号（ＩＦ信号）の分配回路７を介して略等分に分配される。分配されたＩＦ信号は、ハーモニックミキサ１００Ａとハーモニックミキサ１００Ｂにそれぞれ入力される。各ハーモニックミキサに入力されたＬＯ信号とＩＦ信号は、それぞれＲＦ信号に変換される。ハーモニックミキサ１００Ａとハーモニックミキサ１００Ｂにおいて変換された２つのＲＦ信号は、無線周波数信号（ＲＦ信号）の合成回路８において合成され、ＲＦ出力ポート１６から出力される。ここで、ハーモニックミキサ１００Ａとハーモニックミキサ１００Ｂとでは、ＩＦ信号からＲＦ信号への変換損失の、入力ＬＯ信号に対する依存特性が互いに異なっている。すなわち、ＩＦ信号からＲＦ信号への変換損失が最小となるときの、入力ＬＯ信号のレベル範囲が互いに異なる。
【００２３】
次に、本実施形態のハーモニックミキサ回路について、さらに詳細に説明する。ここでは、ハーモニックミキサにアンチパラレルダイオードを備えた構成とした。図２は、本実施形態のハーモニックミキサ回路の構成を示す回路図である。ＬＯ入力ポート１８に入力されたＬＯ信号は、ＬＯ信号の分配回路９を介して略等分に分配される。分配されたＬＯ信号は、アンチパラレルダイオード３Ａとアンチパラレルダイオード３Ｂにそれぞれ入力される。アンチパラレルダイオード３Ａとアンチパラレルダイオード３Ｂの入力側と出力側には、ｆＬＯに対して１/４波長長のショートスタブ４とオープンスタブ５がそれぞれ接続されている。一方、ＩＦ入力ポート１４に入力されたＩＦ信号は、ＩＦ信号の分配回路７を介して略等分に分配される。分配されたＩＦ信号は、インダクタとコンデンサで構成された低域通過フィルタ６を介してアンチパラレルダイオード３Ａとアンチパラレルダイオード３Ｂにそれぞれ入力される。各アンチパラレルダイオードに入力されたＬＯ信号とＩＦ信号は混合され、それぞれＲＦ信号に変換される。アンチパラレルダイオード３Ａとアンチパラレルダイオード３Ｂにおいて変換された２つのＲＦ信号は、ＲＦ信号の合成回路８を介して合成され、ＲＦ出力ポート１６から出力される。アンチパラレルダイオード３Ａと３Ｂはそれぞれ、１個または複数個の直列接続されたダイオードが逆方向に並列接続された構成である。ここで、アンチパラレルダイオード３Ａと３Ｂでは、並列接続されるダイオードの数が異なる。図２では、直列接続された２個のダイオードが逆方向に並列接続されたアンチパラレルダイオード３Ａと、片側１個のダイオードが逆方向に並列接続されたアンチパラレルダイオード３Ｂを示す。
【００２４】
このような回路構成における出力ＲＦ信号の安定性について続いて述べる。
（動作）
図３は、本実施形態のハーモニックミキサの動作を説明するための回路図である。ダイオードが２つ直列接続されたダイオードを逆方向に並列接続してアンチパラレルダイオードとして使用したハーモニックミキサである。図３で使用のアンチパラレルダイオードに関して、図８に示したダイオードと同等の特性ものものを２つ直列に接続した場合には、その順方向電圧は２Ｖｆになる。すなわち、アンチパラレルダイオードの静特性は、図４に示すように、±２Ｖｆの電圧値を境にして電流が大きく流れるような特性を示す。
【００２５】
一方、図８に示した関連するハーモニックミキサ回路は、順方向電圧がＶｆである２つのダイオードで構成される。
【００２６】
このような順方向電圧がＶｆのダイオードで構成されたハーモニックミキサ（図８）と、２つのダイオードを直列接続したアンチパラレルダイオード（順方向電圧が２Ｖｆ）を用いたハーモニックミキサ（図３）について、入力ＬＯ信号の電力レベルに対するＩＦからＲＦへの変換損失の特性を図５にそれぞれ示す。
【００２７】
図５のグラフ１（実線）は順方向電圧がＶｆのダイオードで構成されたハーモニックミキサの特性であり、グラフ２（破線）は順方向電圧が２Ｖｆのダイオードで構成されたハーモニックミキサの特性である。それぞれのハーモニックミキサの変換損失を最小にする入力ＬＯ電力は、ダイオードの順方向電圧に依存することが判る。即ち、順方向電圧値の異なるダイオード構成された２つのハーモニックミキサ間では、入力ＬＯ信号の最適な電力範囲が異なることが分かる。このような特性の異なる２つのミキサ回路を並列に接続することで、ＬＯ電力のレベル変動が生じて１つのミキサの変換損失が増加しても、他方のミキサの変換損失が低減するよう作用し、ミキサ全体としては入力ＬＯ信号の電力レベルの最適範囲を広げることが可能となる。
【００２８】
続いて、本実施形態によるハーモニックミキサ回路における出力ＲＦ信号の安定性の数値解析例について述べる。
（数値解析）
図６は、本実施形態のハーモニックミキサ回路の動作を説明するための特性図である。ハーモニックバランス法を用いた解析結果である。ミリ波帯の送信用周波数変換器を想定し、局部発振周波数（ｆＬＯ）を２９ＧＨｚ、中間周波数（fＩＦ）を２ＧＨｚ、無線周波数（ｆＲＦ＝２×ｆＬＯ＋ｆＩＦ）を６０ＧＨｚとした。この数値解析では、マイクロ波やミリ波帯等で一般的に使用されるアルミナ（Ａｌ２Ｏ３）素材のマイクロストリップラインを想定した。ショートスタブ３およびオープンスタブ４の長さは、９５０μｍとした。また、ＩＦ回路の低域通過フィルタは、０．６ｎＨのインダクタと、０．４ｐＦのコンデンサを用いて構成した。ダイオードとしては、砒化ガリウム（ＧａＡｓ）などの化合物のショットキーバリアダイオードを用いることとした。
【００２９】
図６において、グラフ１（実線）は順方向電圧がＶｆのハーモニックミキサ単独の場合の特性であり、グラフ２（破線）は順方向電圧が２Ｖｆのハーモニックミキサ単独の場合の特性である。変換損失について、その最小値から１ｄＢ増加するまでの許容範囲を想定し、それを満たす入力ＬＯ信号のレベル範囲を見積もった。順方向電圧Ｖｆのハーモニックミキサでは、５ｄＢｍから１０ｄＢｍの入力ＬＯ信号範囲となる。他方、順方向電圧が２Ｖｆのハーモニックミキサでは、１０ｄＢｍから１６ｄＢｍの入力ＬＯ信号範囲となった。即ち、それぞれのハーモニックミキサにおける入力ＬＯ信号の許容電力範囲は、５ｄＢｍと６ｄＢｍである。
【００３０】
次に、本実施形態のハーモニックミキサ回路について数値解析を行った。図７は、本実施形態のハーモニックミキサ回路について、ＩＦからＲＦへの変換損失の入力ＬＯ信号依存性を解析した結果である。変換損失がその最小値から１ｄＢ増加するまでを許容範囲とし、この許容範囲に対応する入力ＬＯ信号のレベル範囲を見積もると、８ｄＢｍから１８ｄＢｍの範囲となる。即ち、入力ＬＯ信号の許容電力幅は、１０ｄＢｍである。これより、本実施形態のハーモニックミキサ回路は、図６に示したように、ハーモニックミキサをそれぞれ単独で用いる場合よりも、入力ＬＯ信号の許容電力幅を拡大することができる効果があることが示された。
【００３１】
以上述べてきたように、本実施形態のハーモニックミキサ回路は、変換損失の入力電力依存性が異なるハーモニックミキサを用い、許容可能なＬＯ電力の値を広くできることを特徴としている。このような構成は、例えば、アンチパラレルダイオードを構成するダイオードの順方向電圧の値が、ハーモニックミキサ間で互いに異なる構成とすることにより得られる。従って、上述した異なる数のダイオードを用いる構成だけに限らず、順方向電圧特性が異なるダイオードを用いることによっても同様の効果が得られる。例えば、シリコン（Ｓｉ）系の無線周波数集積回路においてハーモニックミキサを構成する場合、一方のハーモニックミキサには半導体（Ｓｉ）と金属とを接触させたショットキー接触による整流作用を利用したショットキーダイオードを用い、他方にはｐ型半導体とｎ型半導体を接合するＰＮ接合型ダイオードを利用することが可能である。この場合も異なる順方向電圧特性を有するダイオードの組み合わせとなり、上述と同等の効果を得ることができる。
【００３２】
また、ＬＯ電力の許容幅をさらに大きく広げる場合には、３個以上のハーモニックミキサを用いた構成にすればよい。
【００３３】
本発明は上記実施形態に限定されることなく、特許請求の範囲に記載した発明の範囲内で、種々の変形が可能であり、それらも本発明の範囲内に含まれることはいうまでもない。
【符号の説明】
【００３４】
１    局部発振器
２    増幅器
３、３Ａ、３Ｂ    アンチパラレルダイオード
４    ショートスタブ
５    オープンスタブ
６    低域通過フィルタ
７    中間周波数信号（ＩＦ信号）の分配回路
８    無線周波数信号（ＲＦ信号）の合成回路
９    局部発振周波数信号（ＬＯ信号）の分配回路
１４    ＩＦ入力ポート
１６    ＲＦ出力ポート
１８    ＬＯ入力ポート
１００、１００Ａ、１００Ｂ    ハーモニックミキサ
【図１】
2014086811.tif 000003
【図２】
2014086811.tif 000004
【図３】
2014086811.tif 000005
【図４】
2014086811.tif 000006
【図５】
2014086811.tif 000007
【図６】
2014086811.tif 000008
【図７】
2014086811.tif 000009
【図８】
2014086811.tif 000010
【図９】
2014086811.tif 000011
【図１０】
2014086811.tif 000012